(57)【要約】【課題】指針や表示装置の見栄えを高める。【解決手段】車両用表示装置１０は、第一メータ３１及び第二メータ３２を有しており、これらメータ３１，３２は、指標４７ａ，４７ｂと、これら指標４７ａ，４７ｂを指し示す指針４８とを有している。指針４８は、指針軸部により支持された指針ボス７１と、メータ３１，３２のメータ領域４２に沿って延びた実体針部７２とを有している。実体針部７２は、その後面を形成する後板部と、その前面を形成する前板部とを有しており、前板部にはスリット７９が形成されている。指針ボス７１は、後板部の前面に当たるように光を放出する光放出部と、この光放出部を収納したボスケースとを有しており、光放出部から放出された光が後板部に当たることで、その後板部の前面に光針部が表示される。【選択図】図１
2017003521.tif 000002
【特許請求の範囲】
【請求項１】
指標（４７ａ，４７ｂ）を前方に向けて表示する表示部（１１）と、
前記指標を指し示す指針（４８）と、
を備え、
前記指針は、
前記表示部に沿って延びている実体物としての実体針部（７２）と、
前記実体針部の前側からその実体針部に向けて光を放出する光放出部（７７）と、
を有しており、
前記光放出部は、前記実体針部に沿って延び且つ前記実体針部に合わせて回転する光針部（８７）を、前記実体針部に向けて放出した光によりその実体針部に表示するものであることを特徴とする表示装置。
【請求項２】
前記実体針部は、前記表示部に対向した対向板部（７３）を有しており、
前記光放出部は、放出した光を前記対向板部の前面（７３ａ）に当てることで、前記光針部を前記対向板部の前面に表示するものであることを特徴とする請求項１に記載の表示装置。
【請求項３】
前記対向板部と前記表示部との離間距離が、前記対向板部の先端部に近い部分ほど大きくなっていることを特徴とする請求項２に記載の表示装置。
【請求項４】
前記対向板部は、前記表示部と平行に延びていることを特徴とする請求項２に記載の表示装置。
【請求項５】
前記実体針部は、前記対向板部に対向した状態で前記対向板部の前側に設けられた前板部（７４）を有しており、
前記前板部には、前記前板部の長手方向に沿って延びたスリット（７９）が設けられており、
前記光放出部は、前記対向板部と前記前板部との間に向けた光の放出により、前記対向板部の前面に加えて前記スリットの内周面（７９ａ）に光を当て、前記光針部の縁取りを行う光縁部（８９）を前記内周面に当たった光により表示するものであることを特徴とする請求項２〜４のいずれか一項に記載の表示装置。
【請求項６】
前記対向板部と前記前板部との離間距離が、前記対向板部の先端部に近い部分ほど大きくなっていることを特徴とする請求項５に記載の表示装置。
【請求項７】
前記実体針部は、
前記対向板部と前記前板部とを接続し、これら対向板部及び前板部の各長手方向に沿って延びた一対の側板部（７５）を有しており、
前記光放出部は、前記一対の側板部の間に向けて光を放出するものであることを特徴とする請求項５又は６に記載の表示装置。
【請求項８】
前記光放出部は、
光源からの光が入射される入光部（８３ａ，８３ｂ）と、
前記光針部を表示するべく、前記実体針部に向けて光を放出する出光部（８４ａ，８４ｂ）と、
前記光放出部の内部において前記入光部から入射された光を前記出光部に案内する案内部（８５ａ，８５ｂ）と、
を有していることを特徴とする請求項１〜７のいずれか一項に記載の表示装置。
【請求項９】
指標を指し示す指針（４８）であって、
実体物としての実体針部（７２）と、
前記実体針部に前方から当たるように光を放出することで、前記実体針部に沿って延びた光針部（８７）を前記実体針部に表示する光放出部（７７）と、
を備えていることを特徴とする指針。
【発明の詳細な説明】
【技術分野】
【０００１】
本発明は、指標を備えた表示装置及び指針に関する。
【背景技術】
【０００２】
従来から、車両等に搭載された表示装置が知られている。例えば特許文献１に記載された表示装置はスピードメータを有しており、このスピードメータは、複数の目盛りとこれら目盛りを指し示す指針とを有している。指針は、透明の導光樹脂材料からなる指針本体と、指針本体を支持する指針軸とを有しており、指針本体は中実の細長部材になっている。指針本体に対しては光源が設けられており、この光源からの光が指針本体の内部に入射してその内部を進むことで指針本体の前面全体が発光するようになっている。
【先行技術文献】
【特許文献】
【０００３】
【特許文献１】特開２００３−１２１２１２号公報
【発明の概要】
【発明が解決しようとする課題】
【０００４】
しかしながら、指針本体の内部に光が入射される構成では、指針本体の前面全体を均一に発光させるために、指針本体をその内部を光が適正に進む形状にする必要があり、指針本体の形状や大きさについての自由度が低下してしまう。このため、指針や表示装置の見栄えを高めることに関して改善の余地がある。
【０００５】
本発明は、上記問題を鑑みてなされたもので、その目的は、指針や表示装置の見栄えを高めることにある。
【課題を解決するための手段】
【０００６】
以下、課題を達成するための発明の技術的手段について、説明する。なお、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００７】
上述の課題を解決するために開示された発明は、
指標（４７ａ，４７ｂ）を前方に向けて表示する表示部（１１）と、
指標を指し示す指針（４８）と、
を備え、
指針は、
表示部に沿って延びている実体物としての実体針部（７２）と、
実体針部の前側からその実体針部に向けて光を放出する光放出部（７７）と、
を有しており、
光放出部は、実体針部に沿って延び且つ実体針部に合わせて回転する光針部（８７）を、実体針部に向けて放出した光によりその実体針部に表示するものであることを特徴とする。
【０００８】
この発明によれば、光針部が実体針部に表示されるため、実体針部の形状や大きさに制限されることなく光針部の形状や大きさを設定することが可能になる。このため、光針部の見栄えを高めることができる。しかも、実体針部の内部に光を入射させる必要がないため、実体針部を中空構造や薄板構造とすることが可能になり、その結果、実体針部の軽量化を図ることができる。この場合、実体針部を回転させるための駆動部の小型化や実体針部の長尺化を実現することが可能になるため、光針部や表示装置に関する設計自由度を高めることができる。したがって、指針や表示装置の見栄えを高めることができる。
【図面の簡単な説明】
【０００９】
【図１】第一実施形態における車両用表示装置の正面図。
【図２】車両用表示装置の断面図であって、図１のII−II線断面図。
【図３】指針周辺の車両用表示装置の正面図。
【図４】指針の断面図であって、図３のIV−IV線断面図。
【図５】指針の断面図であって、図３のV−V線断面図。
【図６】光針部を示す図。
【図７】光針部を表示する光を示す図。
【図８】第二実施形態における指針周辺の車両用表示装置の正面図。
【図９】指針の断面図であって、図８のIX−IX線断面図。
【図１０】指針の断面図であって、図８のX−X線断面図。
【図１１】光針部を示す図。
【図１２】光針部を表示する光を示す図。
【発明を実施するための形態】
【００１０】
以下、本発明の複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第一実施形態）
図１、図２に示すように、本発明の第一実施形態による車両用表示装置１０は、車両に関連した車両情報を表示するコンビネーションメータとして、車両の車室内のうちインストルメントパネルに設置されている。この場合、車両用表示装置１０は、運転席等の座席の前方位置においてその表示側が座席側を向いた状態になっており、座席側を車両用表示装置１０にとっての前方として、車両情報を前方に向けて表示可能になっている。
【００１２】
車両用表示装置１０は、表示面を運転席側に向けて設置された表示板１１と、表示板１１を支持した表示ケース１２と、表示ケース１２の前側に設けられた見返し部材１３と、見返し部材１３の開放部分を前方から覆ったカバー１４とを有している。車両用表示装置１０においては、表示板１１を収納した収納体が表示ケース１２、見返し部材１３及びカバー１４により形成されている。
【００１３】
なお、表示板１１は、その前面を形成した表示基材と、表示基材の後面に印刷により形成された印刷層とを有している。表示基材は、ポリカーボネート樹脂等により板状に形成されており、印刷層は、色料、着色材、添加材により形成されている。表示基材が透光性を有している一方で、印刷層が遮光性を有しており、表示板１１においては、印刷層の付与態様に応じて透光率の異なる部分が存在している。
【００１４】
印刷層による遮光率は、色の濃淡により設定されている。本実施形態の印刷層は、シルバー系の印刷色を有しており、彩度や明度が低いほど遮光率が高くなっている。つまり、シルバー系のうち彩度や明度の低い色の部分については、彩度や明度の高い色の部分に比べて遮光率が高くなっている。
【００１５】
車両用表示装置１０は、左右に配置されたメータ３１，３２と、これらメータ３１，３２の間に配置された中間表示部３３とを有している。これらメータ３１，３２及び中間表示部３３は、それぞれ車両情報を表示することが可能になっている。具体的には、第一メータ３１は、車両情報として車両の走行速度を表示するスピードメータであり、正面視で左寄りの位置に配置されている。第二メータ３２は、車両情報として車両エンジンの回転数を表示するタコメータであり、正面視で右寄りの位置に配置されている。中間表示部３３は、ナビゲーション画像やサイドミラーに映る画像、車載バッテリの電力残量、警告などを表示することが可能になっている。
【００１６】
中間表示部３３は、表示板１１の後側に配置された矩形状の液晶パネル３５と、液晶パネル３５を後面及び側端面を覆う遮光板３６とを有している。遮光板３６は、遮光性を有しており、液晶パネル３５から後方や側方に光が漏れることを規制している。
【００１７】
液晶パネル３５は、液晶が保持された液晶層、液晶層の両側に配置された一対の電極、カラーフィルタ基板、及び一対の偏光フィルムを有して構成された、ＴＦＴ液晶パネルである。電極は、行電極及び列電極を組合せたマトリクス電極であり、画素毎に設けられた透明電極で構成され、電極に印加される電圧は薄膜トランジスタにより制御される。カラーフィルタ基板は、赤色フィルタ、緑色フィルタ及び青色フィルタを有し、各フィルタは画素毎（電極毎）に配置されている。また、各画素をオンオフする図示しない薄膜トランジスタ（ＴＦＴ）を備えている。偏光フィルムは、所定方向に振動する光を透過して光の振動方向を所定方向に規制するフィルタである。一対の偏光フィルムは、振動方向が９０度ずれるように配置されている。このＴＦＴ液晶パネルは公知の構造である。
【００１８】
表示板１１は、中間表示部３３に含まれた中間領域４１と、メータ３１，３２に含まれた複数のメータ領域４２と、中間領域４１及びメータ領域４２の外周側に設けられた加飾領域４４と、加飾領域４４の更に外周側に設けられた外周領域４５とを有している。
【００１９】
中間領域４１は、平板状に形成されており、液晶パネル３５の前面に重ねられている。中間領域４１においては、印刷層が設けられていないことで表示板１１の透光性が高く設定されており、表示板１１を通じて液晶パネル３５の画像を前方から視認可能になっている。なお、中間領域４１は、液晶パネル３５の表示面を保護する保護板としての役割を果たしている。
【００２０】
メータ領域４２は、円形状に形成された平板部であり、中間領域４１から側方に向けて延びている。この場合、メータ領域４２の前面４２ａは平坦面になっており、この前面４２ａと中間領域４１の前面４１ａとが同一平面を形成している。メータ領域４２は、液晶パネル３５の表示面に重ねられていない実体領域部４２ｂと、液晶パネル３５の表示面に重ねられた液晶領域部４２ｃとを有している。これら領域部４２ｂ，４２ｃは、いずれも円弧及び弦により囲まれた形状になっており、幅寸法については、実体領域部４２ｂの方が液晶領域部４２ｃよりも大きくなっている。この場合、メータ領域４２の中心線Ｏは実体領域部４２ｂに含まれている。
【００２１】
なお、表示板１１においては、液晶パネル３５の表示面に重なった部分がその表示面と同じ矩形状になっており、この矩形状の部分が中間領域４１及び液晶領域部４２ｃを有していることになる。
【００２２】
メータ３１，３２は、目盛りや数字等の指標４７ａ，４７ｂと、指標４７ａ，４７ｂを指し示す指針４８とを有している。指標４７ａ，４７ｂは、メータ領域４２の周縁部に沿って複数並べられており、印刷層の非設置部分により形成されている。指標４７ａは、実体領域部４２ｂに含まれた実体側指標４７ａであり、指標４７ｂは、液晶領域部４２ｃに含まれた液晶側指標４７ｂである。指標４７ａ，４７ｂは、同じ形状及び大きさの目盛りや同じ種類の数字を有しており、設置間隔が均一になっている。
【００２３】
なお、表示板１１が指標４７ａ，４７ｂを前方に向けて表示する表示部に相当する。また、メータ領域４２を、指標４７ａ，４７ｂを有する指標部や指標盤、文字盤と称することができる。
【００２４】
加飾領域４４は、全体として外周側に向けて斜め前方に延びており、楕円筒状になっている。加飾領域４４の内周面４４ａは、全体として内周側の斜め前方を向いており、加飾領域４４は、中間領域４１及びメータ領域４２の周縁部に沿って延びている。
【００２５】
車両用表示装置１０は、表示板１１の後方において表示ケース１２に収納された回路基板５１を有している。この回路基板５１には、指針４８を回転させるための駆動部５２が取り付けられている。駆動部５２は、指針軸部５３により指針４８に接続されており、指針軸部５３は、回路基板５１及び表示板１１の両方を貫通している。
【００２６】
また、車両用表示装置１０は、メータ領域４２の後方位置に設けられた光源としてのメータ発光ユニット５５と、メータ発光ユニット５５の光を表示板１１に向けて放出する導光板５６とを有している。メータ発光ユニット５５は、発光色の異なる複数のＬＥＤを発光体として有しており、回路基板５１の前面に実装されている。
【００２７】
導光板５６は、平板状に形成されており、メータ領域４２及び加飾領域４４の後方位置に配置されている。導光板５６においては、メータ発光ユニット５５の光が後面から入射した場合、その光が内部を進むことで導光板５６の前面全体がほぼ同じ明るさで発光する。この場合、メータ発光ユニット５５の光によりメータ領域４２のほぼ全体が後方から一様に照らされる。導光板５６は、メータ領域４２の後面に重ねられている。
【００２８】
メータ発光ユニット５５が発光した場合、実体側指標４７ａはその光を前方に放出することで発光表示される。これに対して、液晶側指標４７ｂは、液晶パネル３５が画像表示に伴って放出する光により発光する。この場合、液晶パネル３５においては、導光板５６からの光とほぼ同じ輝度及び色を放出するような画像が、液晶側指標４７ｂの後方位置に表示されるようになっている。
【００２９】
車両用表示装置１０は、メータ領域４２の周縁部に沿って延びた加飾リング部６１を有している。加飾リング部６１は、メータ３１，３２のそれぞれに対して設けられており、メータ領域４２の前面４２ａに重ねられている。この場合、加飾リング部６１は、メータ領域４２の実体領域部４２ｂと液晶領域部４２ｃとにかけ渡された状態になっている。加飾リング部６１は、導光体により形成されており、メータ領域４２においては、加飾リング部６１の後方部分が透光率の高い透光部になっている。このため、加飾リング部６１は、メータ発光ユニット５５や液晶パネル３５からの光により発光可能になっている。
【００３０】
図３、図４に示すように、指針４８は、表示板１１のメータ領域４２の前側に配置されており、その回転軸線は、メータ領域４２の中心線Ｏに重なっている。指針４８は、指針軸部５３により支持された指針ボス７１と、表示板１１に沿って延びた実体針部７２とを有している。指針ボス７１は、全体として短尺の円柱状に形成されており、実体針部７２は、指針ボス７１の側面から側方に向けて延びている。実体針部７２は全体として先細りの形状を有しており、実体針部７２においては、その幅寸法及び高さ寸法が先端部に近付くにつれて徐々に小さくなっている。中心線Ｏからの実体針部７２の長さ寸法は、メータ領域４２の半径よりも小さく、且つ実体針部７２の先端部が指標４７ａ，４７ｂの前方位置を通過する値になっている。
【００３１】
実体針部７２は、その後面を形成する後板部７３と、その前面を形成する前板部７４と、その側面を形成する一対の側板部７５と、先端面を形成する先端板部７６とを有している。後板部７３及び前板部７４は、それぞれメータ領域４２と交差する方向に延びている。後板部７３においては、メータ領域４２に対する離間距離が先端部に近付くにつれて徐々に大きくなっており、前板部７４においては、メータ領域４２に対する離間距離が先端部に近付くにつれて徐々に小さくなっている。この場合、後板部７３と前板部７４との離間距離は、実体針部７２の先端部に近付くにつれて徐々に小さくなっている。また、一対の側板部７５の離間距離も、実体針部７２の先端部に近付くにつれて徐々に小さくなっている。なお、後板部７３は、表示板１１に対向する対向板部に相当する。
【００３２】
実体針部７２の内周面は、光の反射率の高い反射面になっている。特に、後板部７３の前面７３ａは、再帰反射性の塗料やインクが塗布されることで形成されており、明度や彩度の高いブライト系の色を有している。このため、光が後板部７３の前面７３ａにて反射した場合に、その反射方向が運転者等のユーザの視線方向に一致しにくい。つまり、ユーザが眩しさを感じにくくなっている。なお、後板部７３の前面７３ａは、実体針部７２の外周面の色などに合わせて白色塗料や着色塗料が塗布されることで形成されていてもよい。
【００３３】
指針ボス７１は、後板部７３の前面７３ａに当たるように光を放出する光放出部７７と、光放出部７７を収納したボスケース７８とを有している。ボスケース７８は、光放出部７７と表示板１１との間に設けられた円形板状のボスベース部７８ａと、光放出部７７を前方から覆うボスキャップ７８ｂとを有している。ボスキャップ７８ｂは、後方に向けて開放された円形の箱部になっており、ボスキャップ７８ｂの開放部分がボスベース部７８ａにより後方から覆われている。ボスケース７８の内周面は、光の反射率の高い反射面になっている。また、ボスケース７８は遮光性を有しており、昼夜の時間帯に関係なく指針ボス７１からの光漏れを防止することが可能になっている。
【００３４】
ボスキャップ７８ｂの側面部には、光放出部７７からの光を実体針部７２側に放出するための放出孔７８ｃが形成されている。放出孔７８ｃは、ボスケース７８の内部空間と実体針部７２の内部空間とを連通しており、この放出孔７８ｃは実体針部７２により外側から覆われている。
【００３５】
ボスベース部７８ａには、光放出部７７に光を取り込むための取り込み孔７８ｄが設けられている。取り込み孔７８ｄは、指針軸部５３を挟んで放出孔７８ｃとは反対側に配置されており、ボスケース７８の内部空間を後方に向けて開放している。
【００３６】
ボスケース７８と実体針部７２とは、合成樹脂材料により部分的に一体成型されている。具体的には、ボスケース７８のボスベース部７８ａと実体針部７２の後板部７３とが第一部材として板状に一体成型され、ボスケース７８のボスキャップ７８ｂと実体針部７２の前板部７４、各側板部７５及び先端板部７６とが第二部材として一体成型されている。そして、これら第一部材と第二部材とが互いに組み付けられている。この場合、図５に示すように、実体針部７２においては、一対の側板部７５が前板部７４の側端部から表示板１１に向けて延びている一方で、これら側板部７５の間に後板部７３が配置されている。
【００３７】
図３、図４の説明に戻り、実体針部７２においては、先端板部７６が前板部７４の先端部と一対の側板部７５の各先端部とを連結している。その一方で、先端板部７６には、後板部７３の先端部に下方から引っ掛けられた引っ掛け部７６ａが設けられている。引っ掛け部７６ａは、先端板部７６の下端部から指針ボス７１側に向けて延びており、この場合、先端板部７６は、引っ掛け部７６ａを介して後板部７３の先端部を下方から支持していることになる。これにより、後板部７３の先端部が一対の側板部７５から離間して下方に垂れるということが抑止されている。
【００３８】
実体針部７２の前板部７４には、その前板部７４の長手方向に延びたスリット７９が設けられている。スリット７９は、細長状の貫通孔であり、その幅寸法は、実体針部７２の先端部に近付くにつれて徐々に小さくなっている。スリット７９の幅寸法及び長さ寸法は、後板部７３の幅寸法及び長さ寸法よりも小さくなっている。スリット７９の内周面７９ａは、光の反射率の高い反射面になっている。
【００３９】
指針ボス７１の後方には、光放出部７７に光を入射させる発光ユニット８１ａ，８１ｂが設けられている。発光ユニット８１ａ，８１ｂは、回路基板５１の前面に実装されており、メータ発光ユニット５５と同様に、発光色の異なる複数のＬＥＤを光源として有し、所定の色で発光するようになっている。発光ユニット８１ａ，８１ｂは、メータ領域４２の径方向に沿って並べられており、第一発光ユニット８１ａと指針軸部５３との間に第二発光ユニット８１ｂが配置されている。なお、発光ユニット８１ａ，８１ｂについては、図２での図示を省略している。
【００４０】
表示板１１及び導光板５６には、発光ユニット８１ａ，８１ｂからの光を指針ボス７１に向けて通すための貫通孔８２が設けられている。貫通孔８２は、発光ユニット８１ａ，８１ｂとボスケース７８の取り込み孔７８ｄとの間に配置されており、取り込み孔７８ｄと共に光放出部７７と発光ユニット８１ａとを対向させている。貫通孔８２は、ボスキャップ７８ｂにより前方から覆われており、発光ユニット８１ａ，８１ｂの光が貫通孔８２から前方に漏れることがボスキャップ７８ｂにより規制されている。
【００４１】
光放出部７７は、発光ユニット８１ａ，８１ｂの光を内部に取り込む入光部８３ａ，８３ｂと、光を外部に放出する出光部８４ａ，８４ｂと、その内部において入光部８３ａ，８３ｂから出光部８４ａ，８４ｂに光を案内する案内部８５ａ，８５ｂとを有している。指針４８においては、実体針部７２の延出方向に沿って出光部８４ａ，８４ｂから光が放出されるようになっており、光放出部７７は、この光の放出方向Ｎに沿って延びた横長形状になっている。なお、放出方向Ｎは中心線Ｏを通っている。
【００４２】
入光部８３ａ，８３ｂのうち、第一入光部８３ａは、第一発光ユニット８１ａの前方位置に配置されており、第一発光ユニット８１ａからの光が第一入光部８３ａに入射される。第二入光部８３ｂは、第二発光ユニット８１ｂの前方位置に配置されており、第二発光ユニット８１ｂからの光が第二入光部８３ｂに入射される。この場合、入光部８３ａ，８３ｂは、光放出部７７の後面において放出方向Ｎに沿って並べられている。第一入光部８３ａは、光放出部７７における実体針部７２とは反対側に配置され、第二入光部８３ａは、第一入光部８３ａと指針軸部５３との間に配置されている。第一入光部８３ａ及び第二入光部８３ｂは、いずれも実体針部７２とは反対側の斜め後方を向いており、これら入光部８３ａ，８３ｂの間には段差部が形成されている。
【００４３】
発光ユニット８１ａ，８１ｂは、それぞれ指針軸部５３の回転方向に沿って所定間隔で複数並べられている。このため、指針４８の回転角度に関係なく、複数の発光ユニット８１ａ，８１ｂのいずれかの光が光放出部７７の入光部８３ａ，８３ｂに入射されることになる。
【００４４】
出光部８４ａ，８４ｂは、光放出部７７における実体針部７２側の側面に配置されており、前後方向に並べられている。光放出部７７の側面においては、第一出光部８４ａが第二出光部８４ｂの前側に配置されており、第一出光部８４ａの方が第二出光部８４ｂよりも実体針部７２側に突出した位置に配置されている。この場合、第一出光部８４ａと第二出光部８４ｂとの間には段差部が形成されていることになる。
【００４５】
案内部８５ａ，８５ｂのうち、第一案内部８５ａは、第一入光部８３ａの前方位置であって、放出方向Ｎに沿って第一出光部８４ａに並ぶ位置に配置されている。第二案内部８５ｂは、第二入光部８３ｂの前方位置であって、放出方向Ｎに沿って第二出光部８４ｂに並ぶ位置に配置されている。案内部８５ａ，８５ｂは、光放出部７７の前面において放出方向Ｎに沿って並べられている。第一案内部８５ａ及び第二案内部８５ｂは、いずれも実体針部７２とは反対側の斜め前方を向いており、これら案内部８５ａ，８５ｂの間には段差部が形成されている。
【００４６】
案内部８５ａ，８５ｂは、中央部分が外側に向けて膨らんだ湾曲形状になっており、案内部８５ａ，８５ｂにて反射した光は前後方向及び左右方向の両方について集束することになる。また、出光部８４ａ，８４ｂは、凸レンズ形状や凸型フレネルレンズ形状といった光の集束を促進する形状になっている。
【００４７】
車両用表示装置１０は、発光ユニット８１ａ，８１ｂから導光板５６への光の入射を規制する遮光部８６を有している。遮光部８６は、遮光性の高い板材であり、回路基板５１と導光板５６とにかけ渡された状態で設けられている。遮光部８６は、筒状に形成されており、貫通孔８２の内側に入り込んだ状態になっている。この場合、表示板１１及び導光板５６のそれぞれにおいて、貫通孔８２の内周面に遮光部８６の外周面が重ねられており、導光板５６が発光ユニット８１ａ，８１ｂ側に露出しないようになっている。このため、発光ユニット５５，８１ａ，８１ｂがいずれも発光していても、これら光がそれぞれ導光板５６に入射して導光板５６にて光が混ざるということが抑止される。つまり、導光板５６において、メータ発光ユニット５５の光と第一発光ユニット８１ａ及び第二発光ユニット８１ｂとで混色が発生することを規制できる。
【００４８】
図６、図７に示すように、発光ユニット８１ａ，８１ｂが発光した場合、これら発光ユニット８１ａ，８１ｂからの光は、入光部８３ａ，８３ｂから光放出部７７の内部に入射し、案内部８５ａ，８５ｂにて反射して出光部８４ａ，８４ｂから放出される。この場合、案内部８５ａ，８５ｂ及び出光部８４ａ，８４ｂが光を集束させる形状になっていることに起因して、光が集束しながら実体針部７２の内部空間を進んで後板部７３に到達することにより、光針部８７が後板部７３の前面７３ａに表示される。光針部８７は、その前面７３ａとほぼ同じ大きさ及び形状を有しており、光針部８７の表示範囲は、前面７３ａのほぼ全体になっている。
【００４９】
なお、図６においては、ボスキャップ７８ｂ等の第二部材の図示を省略することで、指針４８の内部構造を図示している。
【００５０】
光針部８７は、第一発光ユニット８１ａから放出された第一光Ｂ１により表示された第一針形成像８８ａと、第二発光ユニット８１ｂから放出された第二光Ｂ２により表示された第二針形成像８８ｂとを有している。これら形成像８８ａ，８８ｂは、いずれも放出方向Ｎに沿って延びており、互いに連続した状態で放出方向Ｎに直列に並べられている。第一針形成像８８ａは、光針部８７の先端部分を形成しており、第二針形成像８８ｂは、光針部８７の基端部分を形成している。第一針形成像８８ａの長さ寸法は、第二針形成像８８ｂの長さ寸法よりも大きくなっており、これら長さ寸法の合計が光針部８７の長さ寸法になっている。なお、図６においては、光針部８７をハッチングにより図示しており、第一針形成像８８ａと第二針形成像８８ｂとでハッチングの向きを相違させている。
【００５１】
光放出部７７において、第一光Ｂ１は、第一入光部８３ａから入射され、第一案内部８５ａにより第一出光部８４ａに案内された後に、第一出光部８４ａから後板部７３に向けて放出される。第二光Ｂ２は、第二入光部８３ｂから入射され、第二案内部８５ｂにより第二出光部８４ｂに案内された後に、第二出光部８４ｂから後板部７３に向けて第一光Ｂ１よりも指針ボス７１に近い位置に放出される。
【００５２】
光放出部７７においては、発光ユニット８１ａ，８１ｂから入光部８３ａ，８３ｂへの光の入射角度や、案内部８５ａ，８５ｂでの光の反射角度、出光部８４ａ，８４ｂからの光の放出角度が適宜設定されている。これにより、光針部８７の輝度が後板部７３の前面７３ａ全体において均一になる。
【００５３】
針形成像８８ａ，８８ｂは、それぞれの先端部に向けて徐々に幅寸法が小さくなっており、光針部８７においては、第一針形成像８８ａ及び第二針形成像８８ｂの各幅寸法が、これら針形成像８８ａ，８８ｂの境界部において同じになっている。また、針形成像８８ａ，８８ｂは、光が後板部７３の前面７３ａに投影されることで視認可能に表示された虚像であり、これら虚像により表示された光針部８７を虚像針部と称することもできる。なお、第一針形成像８８ａが第一針部に相当し、第二針形成像８８ｂが第二針部に相当する。
【００５４】
発光ユニット８１ａ，８１ｂが発光した場合、光放出部７７の出光部８４ａ，８４ｂから放出された光が実体針部７２の内部に進入することはもちろんのこと、その他の光がボスケース７８から実体針部７２の内部に進入することがある。その他の光としては、発光ユニット８１ａ，８１ｂからの光のうち光放出部７７の入光部８３ａ，８３ｂに入射しなかった光や、案内部８５ａ，８５ｂなどから光放出部７７の外側に漏れ出た光が挙げられる。これら光がボスケース７８内で反射や拡散、散乱することで実体針部７２の内部に進入しやすくなる。この場合、実体針部７２の内部に進入した光がスリット７９の内周面７９ａに当たりやすくなり、ユーザが実体針部７２を前方から見た際に、光針部８７の縁取りを行う光縁部８９が高輝度で内周面７９ａに表示されることになる。
【００５５】
実体針部７２においては、後板部７３と前板部７４との離間距離や一対の側板部７５の離間距離が、実体針部７２の先端部に近付くにつれて徐々に小さくなっていることに起因して、光縁部８９の輝度がスリット７９の全体において均一になりやすくなっている。
【００５６】
ここまで説明した第一実施形態の作用効果を、以下に説明する。
【００５７】
第一実施形態によれば、実体針部７２において後板部７３の前面７３ａに光針部８７が表示されるため、実体針部７２の中空構造を実現できる。この場合、実体針部７２が軽量化されることで、駆動部５２の小型化を図ることができる。このため、光針部８７や車両用表示装置１０に関する設計自由度を高めることができる。したがって、光針部８７を用いることで車両用表示装置１０の見栄えを高めることができる。
【００５８】
第一実施形態によれば、実体針部７２の後板部７３の内部に光を入射させる必要がないため、後板部７３の薄板化を図ることができる。この場合、光針部８７の表示位置を表示板１１に近付けることで、光針部８７によりスピード感を醸し出すことができるとともに、光針部８７の見栄えを高めることができる。
【００５９】
第一実施形態によれば、後板部７３と表示板１１との離間距離が、実体針部７２の先端部に近付くにつれて徐々に大きくなっていることで、後板部７３の前面７３ａが光放出部７７側の斜め前方を向いている。このため、光放出部７７からの光が後板部７３の前面７３ａ全体に均一に当たりやすくなっている。この場合、後板部７３において光針部８７の輝度が均一化されるため、光針部８７の視認性を適正に確保することができる。例えば、後板部７３の前面７３ａが光放出部７７側を向いていない構成では、後板部７３の先端側において光針部８７の輝度が低下すること、すなわち視認性が低下することが懸念される。
【００６０】
第一実施形態によれば、実体針部７２において前板部７４にスリット７９が設けられているため、光針部８７のうち前方に視認される部分をスリット７９により制限することができる。このため、スリット７９を細身化することにより、実体針部７２の強度向上と光針部８７の見栄え向上の両方を実現することができる。しかも、実体針部７２の内部空間に放出された光により、スリット７９の内周面７９ａに光縁部８９が表示されるため、光針部８７の視認性や見栄えを高めることができる。したがって、光により光針部８７が表示された構成であっても、昼夜の時間帯に関係なく光針部８７の視認性を高めることができる。
【００６１】
第一実施形態によれば、後板部７３と前板部７４との離間距離が、実体針部７２の先端部に近付くにつれて徐々に小さくなっているため、実体針部７２の先端部に近い部分ほど、これら板部７３，７４の間において光の反射や拡散、散乱が生じやすくなっている。この場合、スリット７９の内周面７９ａに表示される光縁部８９の輝度が実体針部７２の先端部側において低下するということが抑制されるため、光針部８７の全体において光縁部８９による輪郭を明確にすることができる。
【００６２】
第一実施形態によれば、一対の側板部７５の離間距離が、実体針部７２の先端部に近付くにつれて徐々に小さくなっているため、実体針部７２の先端部に近い部分ほど、これら側板部７５の間において光の反射や拡散、散乱が生じやすくなっている。このため、光針部８７の全体において光縁部８９による輪郭を明確にすることができる。
【００６３】
第一実施形態によれば、光放出部７７の内部に入射した光が案内部８５ａ，８５ｂにより出光部８４ａ，８４ｂに案内されるため、出光部８４ａ，８４ｂから放出された光を適正に集束させることができる。このため、光針部８７の視認性を高めることができる。
【００６４】
第一実施形態によれば、光針部８７を表示するための光が実体針部７２の後板部７３に当てられるため、実体針部７２の回転角度に関係なく光針部８７の輝度や色を適正に保持することができる。これに対して、例えば、光がメータ領域４２に当てられる構成では、実体針部７２の回転角度が、光針部８７が実体領域部４２ｂと液晶領域部４２ｃとに跨る角度になっている場合に、光針部８７において実体領域部４２ｂに光が当てられた部分と液晶領域部４２ｃに光が当てられた部分とで、液晶パネル３５の画像の有無などに起因して光の反射態様や色などが異なることが懸念される。この場合、光針部８７の視認性や見栄えが低下する可能性が高くなってしまう。
【００６５】
（第二実施形態）
上記第一実施形態では、実体針部７２が内部空間を有していたが、第二実施形態では、実体針部７２が板状に形成されていることで内部空間を有していない。
【００６６】
図８、図９、図１０に示すように、実体針部７２は、その前面を形成するベース板部９１と、このベース板部９１から後方に向けて延びたリブ９２とを有している。ベース板部９１は、上記第一実施形態の後板部７３とほぼ同じ大きさ及び形状を有しており、リブ９２は、ベース板部９１の両側端のそれぞれに一対として設けられている。各リブ９２は、ベース板部９１の長手方向に沿って延びており、ベース板部９１とほぼ同じ長さ寸法を有している。実体針部７２においては、リブ９２により強度が高められているため、ベース板部９１の長尺化及び薄板化が可能になっている。
【００６７】
ベース板部９１は、表示板１１と平行に延びており、この表示板１１に対向する対向板部に相当する。この場合、ベース板部９１と表示板１１との離間距離は、実体針部７２の長手方向において均一になっている。また、ベース板部９１の厚み寸法はその長手方向において均一になっており、ベース板部９１の前面９１ａとメータ領域４２の前面４２ａとが平行になっている。さらに、ベース板部９１からのリブ９２の突出寸法は、実体針部７２の長手方向において均一になっており、この突出寸法は、一対のリブ９２で同じになっている。
【００６８】
リブ９２においては、その幅寸法が実体針部７２の先端部に近付くにつれて徐々に小さくなっている。また、一対のリブ９２の離間距離も、実体針部７２の先端部に近付くにつれて徐々に小さくなっている。この場合、実体針部７２の先端部に近い部分ほどリブ９２の重量が小さくなっているため、補強のためのリブ９２の存在によって却って実体針部７２の先端部が下方に向けて撓むということが生じにくくなっている。
【００６９】
本実施形態では、表示板１１の後方に導光板５６が設けられていない。この場合、メータ領域４２においては、指標４７ａ，４７ｂが発光表示を必要とせずに識別可能な態様で設けられている。具体的には、指標４７ａ，４７ｂが他の部分とは異なる色を有している。なお、指標４７ａ，４７ｂが表示板１１から前方に突出した凸部により形成されていてもよい。
【００７０】
図１１、図１２に示すように、発光ユニット８１ａ，８１ｂが発光した場合、ベース板部９１の前面９１ａの全体に光針部８７が表示される。この場合、上記第一実施形態とは異なり、発光ユニット８１ａ，８１ｂからの光Ｂ１，Ｂ２が実体針部７２の内部空間を進むのではなく、実体針部７２の前方位置において空気中を進むことになる。光針部８７においては、ベース板部９１の前面９１ａをその長手方向に２分割した状態で、指針ボス７１に近い側に第二針形成像８８ｂが配置され、指針ボス７１から遠い側に第一針形成像８８ａが配置されている。
【００７１】
上記第一実施形態と同様に、ボスケース７８と実体針部７２とは、合成樹脂材料により部分的に一体成型されている。具体的には、ボスケース７８のボスベース部７８ａと実体針部７２のベース板部９１及びリブ９２とが第一部材として板状に一体成型され、ボスケース７８のボスキャップ７８ｂが第二部材として成形されている。この場合、実体針部７２が前板部７４、側板部７５及び先端板部７６といった部材を有していない分だけ、上記第一実施形態に比べて第二部材の構成要素が少なくなっている。このため、実体針部７２及びボスケース７８を製作する際のコスト負担を低減可能な廉価版構成を実現できる。
【００７２】
第二実施形態によれば、実体針部７２がベース板部９１により板状に形成されているため、ベース板部９１の前面９１ａに光針部８７が表示されることで、この光針部８７の表示位置を表示板１１に極力近付けることができる。しかも、ベース板部９１の前面９１ａとメータ領域４２の前面４２ａとが平行に延びているため、指針４８が回転する場合に、光針部８７がメータ領域４２に沿って滑るように移動する雰囲気をユーザに付与できる。このため、光針部８７により醸し出されるスピード感を高めることができる。
【００７３】
第二実施形態によれば、上記第一実施形態で説明したように、第一部材と第二部材とを組み合わせて指針４８が形成される場合に、第二部材においては実体針部７２が第一実施形態の前板部７４、側板部７５及び先端板部７６を有していない。このため、実体針部７２の更なる軽量化を実現できる。 
【００７４】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００７５】
変形例１では、第一実施形態において、実体針部７２の後板部７３の前面７３ａ全体が前方に露出する構成としてもよい。この構成としては、スリット７９が後板部７３と同じ形状及び大きさを有する構成や、実体針部７２が前板部７４を有していない構成が挙げられる。これらの構成によれば、後板部７３の前面７３ａ全体に光針部８７が表示された場合に、その光針部８７の全体をユーザに視認させることができる。また、この構成では、実体針部７２の内部空間に放出された光が側板部７５の内周面に当たることで、その内周面に光縁部８９が表示されることになる。
【００７６】
変形例２では、第一実施形態において、光放出部７７から放出された光が後板部７３ではなく前板部７４に当てられてもよい。つまり、光が当てられることで光針部８７が表示される対向板部が前板部７４とされてもよい。この場合、前板部７４にはスリット７９が設けられていないことが好ましい。これは、前板部７４の前面全体に光針部８７を表示することが可能になるためである。
【００７７】
変形例３では、第一実施形態において、後板部７３と前板部７４との離間距離が実体針部７２の先端部に近付くにつれて徐々に小さくなっていたが、この離間距離は、実体針部７２の先端部に近付くにつれて徐々に大きくなっていてもよい。また、この離間距離は、実体針部７２の長手方向においてほぼ同じになっていてもよい。
【００７８】
変形例４では、第一実施形態において、一対の側板部７５の離間距離が実体針部７２の先端部に近付くにつれて徐々に小さくなっていたが、この離間距離は、実体針部７２の先端部に近付くにつれて徐々に大きくなっていてもよい。また、この離間距離は、実体針部７２の長手方向においてほぼ同じになっていてもよい。
【００７９】
変形例５では、第一実施形態において、対向板部としての後板部７３の全体が表示板１１に対して傾斜した傾斜部分になっているのではなく、後板部７３の一部が傾斜部分になっていてもよい。例えば、後板部７３が、表示板１１に対して傾斜した傾斜部分と、表示板１１に平行に延びた平行部分として、後板部７３において、傾斜部分が平行部分よりも先端側に配置された構成とする。この構成でも、後板部７３において、先端寄りの部分が傾斜しているため、後板部７３の先端部分にも適正に光針部８７を表示することができる。なお、後板部７３が平行部分を有しているという構成は、対向板部としてのベース板部９１が表示板１１と平行に延びているという第二実施形態の構成の一部を第一実施形態に適用することで実現できる。
【００８０】
変形例６では、第二実施形態において、実体針部７２のリブ９２はベース板部９１の強度を高める態様で設けられていればよい。例えば、リブ９２は、ベース板部９１の幅方向において中央位置に１つだけ配置されていてもよい。また、リブ９２がベース板部９１から前方に向けて突出していてもよい。この場合、ベース板部９１の前面９１ａに加えてリブ９２にも光を当てて光針部８７を表示することで、光針部８７に立体感を付与することができる。これにより、光針部８７の見栄えを高めることが可能になる。
【００８１】
変形例７では、実体針部７２が丸棒部材や角棒部材により形成されていてもよい。この場合でも、実体針部７２に前方から光が当てられることで、実体針部７２に光針部８７を表示することが可能である。
【００８２】
変形例８では、第一実施形態の後板部７３や第二実施形態のベース板部９１といった対向板部について、その前面の全体に光針部８７を表示しなくてもよい。例えば、対向板部の幅方向において、その中間部分にだけ光針部８７が表示されるように光を当てる構成とする。この場合、対向板部の形状や大きさに関係なく、光針部８７の形状や大きさを適宜設定することになるため、光針部８７の設計に関する自由度を高めることができる。これにより、光針部８７による車両用表示装置１０の見栄えを高めることができる。
【００８３】
変形例９では、光針部８７が２つの針形成像８８ａ，８８ｂを有しているのではなく、１つの針形成像を有していてもよく、３つ以上の針形成像を有していてもよい。例えば、光放出部７７が入光部、出光部及び案内部をそれぞれ１つずつ有した構成とする。この構成でも、出光部や案内部における光の集束態様を調整することで、上記各実施形態と同じ形状及び大きさを有する光針部８７を後板部７３やベース板部９１といった延出板部に表示することが可能である。
【００８４】
変形例１０では、指針ボス７１が複数の光放出部７７を有していてもよい。例えば、指針ボス７１が第一光放出部及び第二光放出部を有し、これら光放出部が入光部、出光部及び案内部をそれぞれ１つずつ有した構成とする。
【００８５】
変形例１１では、光針部８７の形状や大きさが可変設定されてもよい。例えば、発光ユニット８１ａ，８１ｂが個別に発光する構成とする。この構成では、発光ユニット８１ａ，８１ｂが両方とも発光した場合に表示される光針部を光長針部と称すれば、第二発光ユニット８１ｂだけが発光した場合に表示される光針部を光短針部と称することができる。この場合、針形成像８８ａ，８８ｂにより光長針部が形成され、第二針形成像８８ｂにより光短針部が形成されることになる。
【００８６】
変形例１２では、光放出部７７において、発光ユニット８１ａ，８１ｂから入射されて出光部８４ａ，８４ｂから放出した光が集束することで光針部８７が表示される構成であれば、案内部８５ａ，８５ｂが設けられていなくてもよい。例えば、発光ユニット８１ａ，８１ｂが放出方向Ｎにおいて、入光部８３ａ，８３ｂを挟んで出光部８４ａ，８４ｂとは反対側に配置された構成とする。
【００８７】
変形例１３では、光放出部７７がＬＥＤ等の光源を有していてもよい。この場合、光源から出光部８４ａ，８４ｂを通じて放出される光が集束して光針部８７を表示する構成が実現されているのであれば、光放出部７７が入光部８３ａ，８３ｂ及び案内部８５ａ，８５ｂを必ずしも有している必要はない。
【００８８】
変形例１４では、上記各実施形態のように表示装置が車両用表示装置１０として車両に搭載されているのではなく、飛行機や船舶などに搭載されていてもよい。要は、表示装置は移動体に搭載可能なものであればよい。
【符号の説明】
【００８９】
１０…車両用表示装置、１１…表示板、４７ａ…実体側指標、４７ｂ…液晶側指標、４８…指針、７２…実体針部、７３…後板部、７３ａ…前面、７４…前板部、７５…側板部、７７…光放出部、７９…スリット、７９ａ…内周面、８３ａ…第一入光部、８３ｂ…第二入光部、８４ａ…第一出光部、８４ｂ…第二出光部、８５ａ…第一案内部、８５ｂ…第二案内部、８７…光針部、８９…光縁部。
【図１】
2017003521.tif 000003
【図２】
2017003521.tif 000004
【図３】
2017003521.tif 000005
【図４】
2017003521.tif 000006
【図５】
2017003521.tif 000007
【図６】
2017003521.tif 000008
【図７】
2017003521.tif 000009
【図８】
2017003521.tif 000010
【図９】
2017003521.tif 000011
【図１０】
2017003521.tif 000012
【図１１】
2017003521.tif 000013
【図１２】
2017003521.tif 000014